(57)【要約】【課題】横方向全域にわたって通気性を確保できる建物用窓装置を得る。【解決手段】高窓装置１０においては、上下昇降式の窓ガラス２３が設けられているため、窓枠２１で囲まれる枠内領域２２にはその横方向全域にわたる開口領域が形成される。これにより、横引き式の窓のように開口領域が左右いずれかに偏ることがなく、横方向全域にわたって通気性を確保することができる。さらに、窓駆動部１２に内蔵された電動モータ等により、窓ガラス２３の昇降動作が動力により行われ、その昇降動作は制御部により制御される。このため、高窓装置１０のように手動で窓ガラスを操作することが困難な窓であっても、窓ガラス２３の操作を容易に行うことができる。【選択図】図１
2008208651.tif 000002
【特許請求の範囲】
【請求項１】
屋内外を連通する開口部に取り付けられる窓枠と、
前記窓枠に設けられ、同窓枠に沿った昇降により窓枠によって囲まれた領域を開閉する窓ガラスと、
前記領域のすべてが閉塞された全閉塞位置と、同領域のほぼ全体が開放された全開放位置との間で昇降するように前記窓ガラスを駆動する駆動手段と、
前記駆動手段による前記窓ガラスの昇降動作を制御する制御手段と
を備えたことを特徴とする建物用窓装置。
【請求項２】
降雨又は降雪に関する雨雪情報を取得する雨雪情報取得手段を備え、
前記制御手段は、前記雨雪情報取得手段により取得された雨雪情報に基づいて、前記駆動手段による前記窓ガラスの昇降動作を制御することを特徴とする請求項１に記載の建物用窓装置。
【請求項３】
前記窓枠の上方に庇部材を設けた建物に適用され、
前記窓ガラスへの雨滴の付着を検出する雨滴センサを前記雨雪情報取得手段として用い、その雨滴センサを、前記窓枠の一部である縦枠に上下に複数設け、
前記制御手段は、前記各雨滴センサのうち、どの高さ位置の雨滴センサにて雨滴が検出されたかに応じて前記窓ガラスの昇降位置を制御する請求項２に記載の建物用窓装置。
【請求項４】
建物内空間と外壁により隔てられた屋外側において前記建物内空間の天井面よりも低い位置に水平又は略水平な屋外面が形成され、前記外壁において前記建物内空間の天井面と前記屋外面との間であってかつその屋外面寄りに近接した位置に前記窓枠及び前記窓ガラスが設けられた建物に適用され、
前記屋外面上の水や埃類などが前記窓ガラスを通じて前記建物内空間に入り込む状態かどうかを監視する監視手段を備え、
前記制御手段は、前記監視手段の監視結果に基づいて前記窓ガラスの昇降動作を制御する請求項１乃至３のいずれかに記載の建物用窓装置。
【請求項５】
建物内空間と外壁により隔てられた屋外側に、当該建物内空間の中間高さとなる高さでスキップ床を設け、そのスキップ床によって前記屋外面を構築した建物に適用される請求項４に記載の建物用窓装置。
【請求項６】
前記監視手段は、前記屋外面上の前記窓枠及び前記窓ガラス周辺の検出領域に存在する人を検出する人検知手段であり、
前記制御手段は、前記人検知手段により前記検出領域に人が存在している旨検出された場合に、前記窓ガラスを閉じ側に制御する請求項４又は５のいずれかに記載の建物用窓装置。
【請求項７】
前記監視手段は、屋外の風速を検出する風速検出手段であり、
前記制御手段は、前記風速検出手段により検出された風速が基準値を超えている場合に、前記窓ガラスを閉じ側に制御する請求項４乃至６のいずれかに記載の建物用窓装置。
【請求項８】
前記監視手段は、前記屋外面上の前記窓枠及び前記窓ガラス周辺での水溜りの有無を検出する水溜り検出手段であり、
前記制御手段は、前記水溜り検出手段により水溜りが有る旨検出された場合に、前記窓ガラスを閉じ側に制御する請求項４乃至７のいずれかに記載の建物用窓装置。
【請求項９】
前記窓枠の下部には、該窓枠から屋外側に突出して前記屋外面の上方に配置される水返し部が横方向全域に設けられている請求項４乃至８のいずれかに記載の建物用窓装置。
【請求項１０】
前記窓枠と前記窓ガラスとを含めてサッシが構成され、
前記サッシと、前記駆動手段及び当該駆動手段が収容される収納ケースを備えた窓駆動部とが予め一体化されてモジュールとして構成されている請求項１乃至９のいずれかに記載の建物用窓装置。
【請求項１１】
前記収納ケースの屋外側の面には、前記窓枠の屋外側の面と同一平面が形成されるようにしてモジュール用外壁材が設けられている請求項１０に記載の建物用窓装置。
【請求項１２】
前記窓枠の内周部には、その内周部と窓ガラスと間をシールするシール部材が設けられている請求項１０又は１１のいずれかに記載の建物用窓装置。
【請求項１３】
前記シール部材は自動車の窓ガラスとドアフレームとの間のシールに用いられるシール部材が転用され、前記駆動手段は自動車のパワーウィンドウ装置における窓ガラスの昇降装置が転用された請求項１２に記載の建物用窓装置。
【請求項１４】
建物の外壁に設けられた前記開口部に前記窓枠が取り付けられることで、前記外壁に請求項１乃至１３のいずれかに記載の建物用窓装置が設けられ、該建物用窓装置を介して光や風が屋内に取り込まれるように構成されたことを特徴とする建物。
【請求項１５】
請求項１０乃至１３のいずれかに記載のモジュール化された建物用窓装置が設けられた建物であって、
前記窓枠はその外周面が前記開口部の内周面と当接するようにして取り付けられ、前記窓駆動部は前記開口部下方の屋外側にあって該開口部につながる収容凹部に収容された取り付け構造を有することを特徴とする建物。
【請求項１６】
前記収納ケースはその底面及び背面のうち少なくともいずれか一方の面が開放されており、前記収容凹部を形成する面は収納ケースとの間を防水する防水構造を有することを特徴とする請求項１５に記載の建物。
【請求項１７】
前記収納ケースの前面下端と前記収容凹部を形成する底面との間に、収納ケース内と屋外とを連通するスリットが形成され、そのスリットを介して収納ケース内に入り込んだ水を排水する排水構造を有することを特徴とする請求項１５又は１６のいずれかに記載の建物。
【発明の詳細な説明】
【技術分野】
【０００１】
本発明は、窓ガラスの昇降により開閉される建物用窓装置、及びその建物用窓装置が設けられた建物に関する。
【背景技術】
【０００２】
図１１に示すように、住宅等の建物１においては、居室２内の採光性や開放感を確保すべく高窓３が設置される場合がある。高窓３は天井近くという手の届きにくい位置に設置されることから、窓枠に嵌め込まれた窓障子を直接手動で開閉させることは困難である。このため、高窓３には嵌め殺しとして開閉機能を付与せず、採光窓としての機能だけをもたせる場合が多い。
【０００３】
もっとも、高窓３を利用して通気性を確保することが求められる場合もある。その理由は、単に通気性を確保するためだけなら通気口を別途設置すれば足りるところ、高窓３を利用すれば、通気口に比べて格段に広い開口部により通気性を高めることができるという点にある。このため、高窓３にも開閉機能を付与し、採光窓だけでなく通気窓としての機能をもたせる場合もある。そのような高窓３としては、横引き式のものが従来から知られている（例えば、特許文献１参照）。そして、前述したように窓障子を直接手動で開閉させることは困難であるから、この従来の横引き式の高窓（図示略）は電動モータを用いて開閉されるようになっている。このような構成とすれば、開閉操作が困難となることはないといえる。
【特許文献１】特開２０００−１７９２３１号公報
【発明の開示】
【発明が解決しようとする課題】
【０００４】
ところで、上記の高窓に限らず一般に横引き式の窓の場合、窓を開放しても窓枠内の右又は左半分の領域は窓障子によって閉塞されたままの状態となるのが通常である。このため、通気性が確保される開口領域は左右いずれかに偏ったものとなる。それでも横引き式の窓が一般的に用いられている以上、そのような偏った開口領域でも通気性を確保することは十分可能であると考えられるが、横方向全域にわたって通気性を確保することが要求される場合もあると考える。なぜなら、窓枠の横方向全域にわたって開口領域を確保することは、左右いずれかに偏った開口領域がある場合に比べ、居室全体に効率よく外気を取り入れることが可能になるからである。
【０００５】
上記の点はすべての種類の窓で問題となり得る。ただ、中でも高窓については、その窓枠が横方向に長い矩形状に形成される場合もあるため、開口領域が左右のいずれかに偏るという問題によって被る弊害は大きくなる。
【０００６】
本発明は、横方向全域にわたって通気性を確保できる建物用窓装置、及びそれを備えた建物を提供することを主たる目的とする。
【課題を解決するための手段】
【０００７】
以下、上記課題を解決するのに有効な手段等につき、必要に応じて効果等を示しつつ説明する。
【０００８】
本発明の建物用窓装置は、屋内外を連通する開口部に取り付けられる窓枠と、前記窓枠に設けられ、同窓枠に沿った昇降により窓枠によって囲まれた領域を開閉する窓ガラスと、前記領域のすべてが閉塞された全閉塞位置と、同領域のほぼ全体が開放された全開放位置との間で昇降するように前記窓ガラスを駆動する駆動手段と、前記駆動手段による前記窓ガラスの昇降動作を制御する制御手段とを備えている。
【０００９】
この構成では、窓ガラスは窓枠に沿って昇降されるため、窓ガラスが全開放位置に至る途中、窓枠にはその横方向全域にわたる開口領域が形成される。このため、横引き式の窓のように開口領域が左右いずれかに偏ることがなく、横方向全域にわたって通気性を確保することができる。これは、横方向に長い矩形状に形成された窓枠の場合に、特に顕著なメリットとなる。さらに、駆動手段により、窓ガラスの昇降動作が動力により行われる。また、その昇降動作は制御手段により制御されるため、例えば高窓やトップライトのように手動で窓ガラスを操作することが困難な窓であっても、窓ガラスの操作を容易に行うことができる。
【００１０】
なお、屋内外を連通する開口部としては、高窓や腰窓等を取り付けるために建物の外壁に設けられた開口部、及びトップライトを取り付けるために屋根に設けられた開口部が考えられる。
【００１１】
上記構成に加えて、降雨又は降雪に関する雨雪情報を取得する雨雪情報取得手段を備え、前記雨雪情報取得手段により取得された雨雪情報に基づいて、前記駆動手段による前記窓ガラスの昇降動作を制御するとよい。この場合、雨雪情報取得手段としては、雨滴センサなど雨滴を直接検出するもの以外に、インターネットなどの外部情報源から気象情報（予報、降雨・降雪情報を含む）を取得する手段も適用できる。また、雨量が所定の基準レベルを超えた場合に窓ガラスを閉じ動作させる構成としてもよい。
【００１２】
こうすることで、天候が突然悪化した場合でも、当該窓装置を通じて室内に雨が降り込むことを防止できる。
【００１３】
この場合、前記窓枠の上方に庇部材を設けた建物において、前記窓ガラスへの雨滴の付着を検出する雨滴センサを前記雨雪情報取得手段として用い、その雨滴センサを、前記窓枠の一部である縦枠に上下に複数設け、さらに、前記各雨滴センサのうち、どの高さ位置の雨滴センサにて雨滴が検出されたかに応じて前記窓ガラスの昇降位置を制御するとよい。
【００１４】
要するに、窓枠の上方に庇部材を設けた建物では、窓装置を通じて室内に雨が降り込むことが庇部材によって抑制されるが、雨が斜めに降りかかる場合には雨の降り込みが生じるおそれがある。かかる場合、上下に設けた複数の雨滴センサによれば、窓ガラスをどの昇降位置にしておけば雨が降り込まないかを判断することができる。したがって、雨の状況に応じた開閉制御を行うことができ、それに伴い室内環境を最適な状態で保持することが可能となる。
【００１５】
次に、建物内空間と外壁により隔てられた屋外側において前記建物内空間の天井面よりも低い位置に水平又は略水平な屋外面が形成され、前記外壁において前記建物内空間の天井面と前記屋外面との間であってかつその屋外面寄りに近接した位置に前記窓枠及び前記窓ガラスが設けられた建物に適用される場合には、建物用窓装置が以下のごとく構成されることが望ましい。なお、屋外面としては、屋根面、バルコニー床面、地上面などであることを想定している。
【００１６】
すなわち、前記屋外面上の水や埃類などが前記窓ガラスを通じて前記建物内空間に入り込む状態かどうかを監視する監視手段を備え、前記監視手段の監視結果に基づいて前記窓ガラスの昇降動作を制御するとよい。
【００１７】
要するに、上記の建物構造によれば、窓装置を通じて居室等の採光性が確保できるが、その反面、屋外面に比較的近い位置に窓装置が設けられているために、屋外面上に存在する水や埃類（屋外のゴミや砂石等を含む）等が窓装置を通じて建物内空間に入り込むおそれがある。この点、水や埃類などが入り込む状態かどうかの監視結果に基づいて窓ガラスの昇降動作が制御されることで、屋外面上に水や埃類等が存在していても、それが窓装置を通じて建物内空間に入り込むことが抑制できる。故に、居室等の建物内空間において快適性が確保できる。
【００１８】
建物構造としては、建物内空間と外壁により隔てられた屋外側に、当該建物内空間の中間高さとなる高さでスキップ床が設けられ、そのスキップ床によって前記屋外面が構築されるとよい。この場合、建物内空間からすれば、屋外スキップ床よりも高い位置に高窓として窓装置が設けられることとなる。
【００１９】
監視手段及び制御手段として具体的には、以下の構成が適用できる。
【００２０】
（１）前記監視手段は、前記屋外面上の前記窓枠及び前記窓ガラス周辺の検出領域に存在する人を検出する人検知手段であり、その人検知手段により前記検出領域に人が存在している旨検出された場合に、前記窓ガラスを閉じ側に制御する。これにより、屋外面上に雨水が溜まっていても、その雨水が人の通過によって跳ね上げられて室内に入り込むことを防止できる。屋外面上の埃類についても、人の通過によって浮き上がって室内に入り込むことを防止できる。
【００２１】
（２）前記監視手段は、屋外の風速を検出する風速検出手段であり、その風速検出手段により検出された風速が基準値を超えている場合に、前記窓ガラスを閉じ側に制御する。これにより、屋外面上に雨水が溜まっていても、その雨水が風によって跳ね上げられて室内に入り込むことを防止できる。屋外面上の埃類についても、風によって浮き上がって室内に入り込むことを防止できる。
【００２２】
（３）前記監視手段は、前記屋外面上の前記窓枠及び前記窓ガラス周辺での水溜りの有無を検出する水溜り検出手段であり、その水溜り検出手段により水溜りが有る旨検出された場合に、前記窓ガラスを閉じ側に制御する。これにより、屋外面に水溜りが存在している場合に、その水が跳ね上げられて室内に入り込むことを防止できる。
【００２３】
さらに、前記窓枠の下部に、該窓枠から屋外側に突出して前記屋外面の上方に配置される水返し部が横方向全域に設けられているとよい。これにより、跳ね上げられた水が、窓枠で囲まれた領域に至ることを抑制できる。なお、この水返し部は風返し部としての機能も有する。
【００２４】
次に、上記建物用窓装置では、前記窓枠と前記窓ガラスとを含めてサッシが構成され、そのサッシと、前記駆動手段及び当該駆動手段が収容される収納ケースを備えた窓駆動部とが予め一体化されてモジュールとして構成されることが好ましい。このようなモジュール化により、建物用窓装置を建物に取り付ける作業が容易となり、施工性が高められる。また、現場での作業工程が少なくなれば施工者の熟練度に左右される度合いも少なくなり、建物用窓装置の品質や信頼性の向上にもつながる。
【００２５】
この場合、前記収納ケースの屋外側の面に、モジュール用外壁材が前記窓枠の室外側の面と同一平面が形成されるように設けられれば、建物用窓装置の取り付け作業が一層容易となる。
【００２６】
前記窓駆動部は前記サッシの下部に配置され、前記窓ガラスは全閉塞位置に向けては上昇し、全開放位置に向けては下降するように構成されることが好ましい。このように窓ガラスを昇降式とし、かつ上昇によって窓枠に囲まれた領域が閉塞される構成であれば、横方向全域にわたる開口領域を窓枠で囲まれた領域の上部に形成することが可能となる。この場合、窓の上方に庇を設置すれば、開口領域に入り込む雨滴は庇によって遮断されるため、雨天時でも雨が室内に入り込むことを抑制しながら通気性を確保できる。なお、窓ガラスが下降することによって閉塞される構成や横引き式の窓の場合、たとえ窓の上方に庇を設置した場合でも、雨天時にはその開口領域の下部から雨が室内に入り込んでしまうという問題が生じるであろう。
【００２７】
前記窓枠の内周部にその内周部と窓ガラスと間をシールするシール部材が設けられれば、建物内に雨滴等が入り込むおそれを低減できる。
【００２８】
ここで、窓枠内を窓ガラスが昇降する建物用窓装置は、自動車のパワーウィンドウ装置と構造や作用の面で類似する部分が多い。このため、前記シール部材は自動車の窓ガラスとドアフレームとの間のシールに用いられるシール部材が転用されることが好ましい。また、前記駆動手段も自動車のパワーウィンドウ装置における窓ガラスの昇降装置が転用されることが好ましい。このように自動車の部品を転用すれば、すでに実績があり量産されている部品を利用できるため、品質を安定させて信頼性を高めることができるし、コストやメンテナンスの面でもメリットは大きい。
【００２９】
次に、上記建物用窓装置は建物の外壁に設置されることが好適である。この建物では、建物用窓装置を介して光や風が建物内に取り込まれるようになり、採光性、開放感及び通気性が高められて室内環境が向上する。
【００３０】
また、サッシと窓駆動部とでモジュール化された建物用窓装置が設置される場合、窓枠はその外周面が建物の前記開口部の内周面と当接するようにして取り付けられ、窓駆動部は前記開口部下方の屋外側にあって該開口部につながる収容凹部に収容された取り付け構造を有することが好ましい。このような取り付け構造によれば、窓駆動部が収容される収容凹部が建物側に予め設けられているため、モジュール化された建物用窓装置の取付作業を容易かつ好適に行うことができる。
【００３１】
収納ケースの底面及び背面のうち、少なくともいずれか一方の面が開放されている場合には、前記収容凹部を形成する面には収納ケースとの間を防水する防水構造を有することが好ましい。この防水構造により、収納ケース内に滴り落ちた水滴が収容凹部を形成する面から外壁や屋根の内部に入り込むことを防げる。これにより、入り込んだ水が湿気となって外壁の内部に介在される木材を痛めたりするなど、外壁に対する悪影響を防げる。
【００３２】
さらに、前記収納ケースの前面下端と前記収容凹部を形成する底面との間に、収納ケース内と屋外とを連通するスリットが形成されて、そのスリットを介して収納ケース内に入り込んだ水を排水する排水構造を備えれば、収納ケース内に入り込んだ水滴が建物外壁の内部に溜まってしまうことを回避できる。
【発明を実施するための最良の形態】
【００３３】
[第１実施形態]
以下、本発明の第１実施形態を、図面を参照しつつ説明する。本実施の形態では高窓装置に具体化されており、図１はその高窓装置の正面図である。図２は高窓装置の側面図であり、サッシ部については縦断面図となっている。また、図３は窓駆動部の構成図、図４はアーム式駆動機構を示す正面図である。
【００３４】
なお、正面とは高窓装置を建物に設置した場合に、屋外側となる側から高窓装置を見た場合をいうものとする。以下の説明ではこの正面を基準に前後左右をいうものとする。図２では右側が屋外側であり、左側が屋内側である。
【００３５】
（高窓装置の構成）
図１及び図２に示すように、高窓装置１０は主としてサッシ部１１と、サッシ部１１の下部に取り付けられた窓駆動部１２とで構成されている。サッシ部１１と窓駆動部１２とは高窓装置１０の製造段階で予め一体化されており、高窓装置１０は両者を合わせた一つのモジュールとして構成されている。サッシ部１１は横長の矩形枠状に形成された窓枠２１と、その窓枠２１内を昇降して、窓枠２１で囲まれた枠内領域２２を開閉する窓ガラス２３と有する。
【００３６】
窓枠２１は金属製の薄板を成型することによって形成される。本実施形態では、アルミニウム製となっている。窓枠２１はその前後の幅が後述する建物の外壁８１の厚さ（前後幅）と同じ長さであり、四つの枠材、すなわち、上枠２６、下枠２７及び左右の縦枠２８で構成されている。
【００３７】
下枠２７の内周部には、枠材の延びる方向に沿って、下枠２７の全域にスリット２９が形成されている。スリット２９には前記窓ガラス２３が挿通される。スリット２９の前後にはそれぞれ第１収容部３０が設けられている。そして、各第１収容部３０にはシールリップ３１が収容されている。シールリップ３１はスリット２９と窓ガラス２３との間をシールするものである。
【００３８】
上枠２６と縦枠２８の内周部には、枠材の延びる方向に沿って全域に一対の突条３２が設けられている。両突条３２は前後に一定の間隔を隔てて設けられており、両者の間に第２収容部３３が形成されている。第２収容部３３にはガラスラン３４が収容されている。ガラスラン３４は窓ガラス２３の昇降を案内するとともに、窓ガラス２３の上辺部及び左右辺部と当接してその部分をシールものである。なお、本実施形態では、先のシールリップ３１とガラスラン３４とでシール部材が構成されている。
【００３９】
一方、前記窓ガラス２３は透明又は半透明な一枚のガラス板で構成されており、左右の長さは窓枠２１よりも若干小さく、上下の長さは窓枠２１よりも長く形成されている。窓ガラス２３が上昇して枠内領域２２が完全に閉じられた状態（この状態における窓ガラス２３の位置を全閉鎖位置という。）でも、窓ガラス２３の下端部は下枠２７から下方に突出して窓駆動部１２内に収容されている。さらに、窓ガラス２３が下降して枠内領域２２のほぼすべてが開放された状態（この状態における窓ガラス２３の位置を全開放位置という。）でも、窓ガラス２３の上端部はスリット２９の上方に突出して、シールリップ３１によってシールされた状態となっている。
【００４０】
なお、全開放位置において、窓ガラス２３がシールリップ３１によってシールされる構成は必須のものではなく、窓ガラス２３の上端がシールリップ３１との当接位置よりも下方に配置される構成としてもよい。これは、後述するように、シールを抜けて滴り落ちた水滴に対処する構成が採用されているからである。
【００４１】
次に、窓駆動部１２の構成を説明する。窓駆動部１２は収納ケース４１と、その収納ケース４１内に収容された窓駆動装置４２とを有する。収納ケース４１は金属製の薄板を成型することによって形成される。本実施形態では、防水処理が施されたスチール製となっている。収納ケース４１は前面パネル４３と左右の側面パネル４４とで構成され、背面及び底面部分は開放されている。そして、収納ケース４１は窓ガラス２３を収納する十分な大きさを備えているため、窓ガラス２３の下端部は全開放位置でも収納ケース４１の下端から突出しない。
【００４２】
前面パネル４３はサッシ部１１と同じ左右幅を有し、上下幅は窓ガラス２３よりも大きく形成されている。一方、左右の側面パネル４４は前面パネル４３よりも長い上下幅を有し、その下端部は前面パネル４３の下端から突出した状態となっている。側面パネル４４の前後の幅は、サッシ部１１のそれよりも小さく形成されている。
【００４３】
上記構成を有する収納ケース４１は、その前面パネル４３がサッシ部１１の前面よりも奥まった位置に配置されるようにして下枠２７に取り付けられている。その状態で、側面パネル４４の後端はサッシ部１１の後端よりも前側に位置している。また、前面パネル４３の前面（屋外側の面）には後述する建物外壁材８２と同じ材質からなり、かつ同じ外観を有するモジュール用外壁材１３が設けられており、そのモジュール用外壁材１３の前面とサッシ部１１（窓枠２１）の前面とによって同一平面が形成されている。
【００４４】
図３及び図４に示すように、収納ケース４１内の窓駆動装置４２はアーム式のウィンドウレギュレータであり、電動モータ４５、アーム式駆動機構４６及びウィンドウ制御盤４７を備えている。これらは自動車のパワーウィンドウを構成する各部材が転用されている。電動モータ４５はアーム式駆動機構４６と連結されており、そのアーム式駆動機構４６は窓ガラス２３と連結されている。そして、電動モータ４５が駆動されるとアーム式駆動機構４６の動作により、サッシ部１１では窓ガラス２３が縦枠２８に沿って昇降される。電動モータ４５はウィンドウ制御盤４７と接続され、そのウィンドウ制御盤４７によって電動モータ４５の駆動が制御される。ウィンドウ制御盤４７は制御部４８と操作部４９とを備え、窓駆動部１２の外部に設けられている（図１参照）。制御部４８は電動モータ４５と接続され、電動モータ４５の駆動制御を司っている。操作部４９は制御部４８と接続され、この操作部４９により制御部４８による電動モータ４５の制御が設定される。操作部４９には、開ボタン５０、閉ボタン５１、停止ボタン（図示略）やリモコンの受信部（図示略）等が設けられている。
【００４５】
なお、本実施形態では、電動モータ４５及びアーム式駆動機構４６により駆動手段が構成され、ウィンドウ制御盤４７により制御手段が構成されている。
【００４６】
アーム式駆動機構４６の具体的な構成を図４に示した。アーム式駆動機構４６はリフトアーム６１を備えている。リフトアーム６１の固定軸６２は、電動モータ４５とともに前記収納ケース４１の前面パネル４３（図４では図示略）の背面に支持されている。リフトアーム６１はその下端部に、半円状に形成されたセクタギア６３を有しており、電動モータ４５の出力軸４５ａにはこのセクタギア６３と噛み合うピニオン（図示略）が設けられている。電動モータ４５は制御部４８により正逆に駆動される。このため、電動モータ４５の出力軸４５ａが正回転又は逆回転を繰り返すことで、リフトアーム６１は固定軸６２を中心として遥動する。
【００４７】
リフトアーム６１の略中央部では、イコライザアーム６４の略中央部と浮動軸６５を介して回転可能に連結されている。このため、リフトアーム６１とイコライザアーム６４とはＸ字状となるように連結されている。両アーム６１，６４の上端部にはそれぞれガイドローラ６６，６７が設けられている。また、イコライザアーム６４の下端部にもガイドローラ６８が設けられている。そして、窓ガラス２３の下端部には、両アーム６１，６４の上端部のガイドローラ６６，６７を左右に案内する案内レール６９を有するガラスブラケット７０が設けられている。前記ベース部が設けられた前面パネル４３の背面には、イコライザアーム６４の下端部のガイドローラ６８を左右に案内する案内レール７１を有するアームブラケット７２が取り付けられている。これにより、電動モータ４５の正逆回転によりリフトアーム６１が遥動すると、窓ガラス２３は略水平状態を維持しながら昇降される。
【００４８】
なお、窓ガラス２３はシールリップ３１によってシールされているとはいえ、そのシールも完全なものではなく、窓ガラス２３に付着した水滴が収納ケース４１内に滴り落ちることもあり得る。このため、アーム式駆動機構４６は防水処理が施されている。防水処理は、各部材に耐食性の強い樹脂塗料をカチオン電着塗装したり、防水シートを被せたりする等によって行われる。
【００４９】
（高窓装置の取り付け構成）
次に、以上のように構成された高窓装置１０を建物に取り付ける際の取り付け構成を、図５乃至図７に基づいて説明する。図５は高窓装置が建物の外壁に取り付けられる様子を示した断面図、図６は高窓装置が建物の外壁に取り付けられた状態を示す断面図、図７は図６を屋外側からみた場合の斜視図である。図５及び図６において、窓駆動部１２及びモジュール用外壁材１３だけは断面ではなく側面を示しているが、説明の便宜上、図６では下端部のみ断面を示している。
【００５０】
まず、被取付側である建物の外壁８１の構成について説明する。外壁８１は、外壁面を形成するための建物外壁材８２と、下地フレーム８３とを備えている。建物外壁材８２は窯業系サイディング板であり、下地フレーム８３は断面コ字状の溝形鋼により構成されている。下地フレーム８３の室内側には断熱材８４を介して内装材としての石膏ボード８５が取り付けられている。断熱材８４は、例えば防湿層付きのグラスウールにて構成されている。建物外壁材８２と断熱材８４との間は空気層となっている。
【００５１】
上述した外壁８１のうち高窓装置１０を取り付ける位置には、開口部８６が設けられている。この開口部８６により建物の内外が連通されている。開口部８６はサッシ部１１（窓枠２１）の上下、左右の幅に相当する大きさを有する。開口部８６を形成する内周面のうち上側及び左右の面は、同一平面を形成する下地フレーム８３のウエブ面と枠板８７の平面とで形成されている。枠板８７は断熱材８４及び石膏ボード８５の端部を隠すとともに、窓枠２１の固定に利用される。
【００５２】
開口部８６の下方では、下地フレーム８３のウエブ面に同ウエブ面と同じ前後幅を有する板状のスペーサ８８が設けられ、そのスペーサ８８上にはサブフレーム８９が設けられている。サブフレーム８９も下地フレーム８３と同様、断面コ字状の溝形鋼により構成されている。断熱材８４及び石膏ボード８５はサブフレーム８９の上端まで延出して取り付けられている。断熱材８４及び石膏ボード８５の端部は、サブフレーム８９のウエブ面と同一平面を形成する下枠板９０で隠されている。この下枠板９０もサッシ部１１の固定に利用される。このように、開口部８６を形成する内周面のうち下側の面は、サブフレーム８９のウエブ面と下枠板９０の平面とで形成されている。また、サブフレーム８９の前面側に形成された空間は、窓駆動部１２を収容する収容凹部９１であり、窓駆動部１２の大きさに相当する容積を有する。
【００５３】
このように構成された建物の外壁８１に対し、建物の外側から高窓装置１０のサッシ部１１（窓枠２１）の外周面と開口部８６の外周面とが当接するようにして、サッシ部１１（窓枠２１）が開口部８６に設置される。それと同時に、窓駆動部１２が収容凹部９１に収容される。このようにして高窓装置１０が設置された状態では、サッシ部１１（窓枠２１）の前面及びモジュール用外壁材１３の前面と、外壁面（建物外壁材８２の前面）とで同一平面が形成される。そして、高窓装置１０は、窓枠２１と枠板８７及び下枠板９０のそれぞれとを取付ネジ９２等で締め付けるなどの適宜の固定手段により固定される。
【００５４】
以上の構成で高窓装置１０が建物の外壁８１に取り付けられることにより、図６及び図７に示すように、建物には自動昇降式の高窓１１０が設置される。
【００５５】
なお、図示を省略するが、外壁８１の室内側に設けられたウィンドウ制御盤４７と、収納ケース４１に設けられた電動モータ４５とを接続する配線や、電動モータ４５を駆動する電源を供給する電源ケーブルは、外壁８１内部の隙間に設けられている。高窓装置１０を外壁８１に設置する際には、外壁８１側の配線等と高窓装置１０側の配線等とを接続する必要があるが、それぞれの配線等の先にはコネクタが設けられており、設置時にそのコネクタ同士が接続されるようになっている。
【００５６】
ここで、前述したように窓駆動部１２の収納ケース４１は、その背面及び底面部分は開放されている。このため、窓ガラス２３に付着した水滴が収納ケース４１内に滴り落ちてきた場合に、その水滴が外壁８１の内部に入り込んだり、湿気となって外壁８１内部の木材を痛めたりするなど、外壁８１に悪影響を及ぼすおそれがある。そこで、本実施の形態では、サブフレーム８９の外側に防水構造を構成する防水プレート１０１が設けられている。
【００５７】
防水プレート１０１はサブフレーム８９と略同じ左右幅を有し、スペーサ８８上に取り付けられる水平部１０２を備えている。水平部１０２のサブフレーム８９側は垂直に折り曲げられて垂直部１０３となり、その垂直部１０３はサブフレーム８９の前面に取り付けられている。水平部１０２の前端部はスペーサ８８と建物外壁材８２の上端面との間の段差に沿って、いったん下方に折り曲げられ、さらに前方に向けて折り曲げられている。このように、防水プレート１０１はその水平部１０２と垂直部１０３とにより、全体として縦断面が略Ｌ字状をなしている。なお、防水プレート１０１が設けられたことにより、その水平部１０２の上面が前記収容凹部９１を形成する底面となっている。
【００５８】
図６に示すように、高窓装置１０が設置された状態では、収納ケース４１を構成する左右の側面パネル４４は防水プレート１０１の水平部１０２上に載置される。そして、水平部１０２の上面と収納ケース４１の前面パネル４３及びモジュール用外壁材１３の下端との間には、排水構造を構成するスリット１０４が形成されている。このスリット１０４により、収納ケース４１の内部は建物外部と連通される。図７に示すように、このスリット１０４はモジュール用外壁材１３の下において水平方向に延びるように形成されている。
【００５９】
この防水プレート１０１により、収納ケース４１内に滴り落ちた水滴は水平部１０２上に溜められる。そして、図６の拡大図で矢印によって図示されているように、スリット１０４を介して建物の外部に排出される。
【００６０】
（高窓の開閉動作）
次に、上記のように建物に設置された自動昇降式の高窓１１０の開閉動作を簡単に説明する。
【００６１】
高窓１１０を開放することを所望する場合、操作者はウィンドウ操作盤４７の操作部４９に設けられた開ボタン５０を押す。すると、制御部４８は開ボタン５０が押されたことを検知して電動モータ４５を回転させる。アーム式駆動機構４６はこの電動モータ４５の回転を窓ガラス２３の下降動作に変換する。これにより、窓枠２１で囲まれた枠内領域２２では上部から徐々に開口領域が広がり、高窓１１０が開放される。
【００６２】
一方、高窓１１０を閉じることを所望する場合、操作者は操作部４９の閉ボタン５１を押す。すると、制御部４８は閉ボタン５１が押されたことを検知して電動モータ４５を先ほどとは逆方向に回転させる。アーム式駆動機構４６はこの電動モータ４５の回転を窓ガラス２３の上昇動作に変換する。これにより、枠内領域２２では徐々に開口領域が狭められ、窓ガラス２３が全閉鎖位置に至ると高窓１１０は完全に閉じられる。
【００６３】
なお、ボタン５０，５１の操作と窓ガラス２３の昇降動作との関係は、特に限定されるものではない。例えば、ボタン５０，５１を一押しすれば昇降動作をし続け、停止ボタンを押すことで所望の位置で動作を停止させる構成や、ボタン５０，５１を押し続けている間だけ昇降動作する構成等が考えられる。また、窓ガラス２３の昇降動作はリモコン操作によって行われるようにしてもよい。
【００６４】
（本実施形態の効果）
以上詳述したように、本実施の形態によれば、以下の優れた効果を有する。
【００６５】
（１）窓ガラス２３は縦枠２８に沿って昇降されるため、窓ガラス２３が全開放位置に至る途中、枠内領域２２にはその横方向全域にわたる開口領域が形成される。このため、横引き式の窓のように開口領域が左右いずれかに偏ることがなく、横方向全域にわたって通気性を確保することができる。特に、窓枠２１は横長の矩形枠状をなすため、このように左右に偏りがないことのメリットは大きい。さらに、窓ガラス２３の昇降動作はウィンドウ制御盤４７の操作により行われるため、高窓１１０の開閉操作を容易に行うことができる。
【００６６】
（２）高窓装置１０はサッシ部１１と窓駆動部１２とが予め一体化されてモジュール化されている。これにより、高窓装置１０を建物外壁８１の開口部８６に取り付ける作業が容易となり、施工性が高められる。また、現場での作業工程が少なくなれば施工者の熟練度に左右される度合いも少なくなり、高窓１１０の品質や信頼性の向上にもつながる。また、収納ケース４１の前面には予めモジュール用外壁材１３が設けられて一体化されているため、高窓装置１０の取り付け作業が一層容易となっている。
【００６７】
（３）上下昇降式の高窓装置１０は、自動車のサイドドアと類似する構成が多い。そこで、本実施形態のシールリップ３１及びガラスラン３４は、自動車の窓ガラスとドアフレームとの間のシールに用いられるシール部材が転用されている。また、窓駆動装置４２も自動車のパワーウィンドウ装置が転用されている。このように自動車の部品を転用すれば、すでに実績があり量産されている部品を利用できるため、品質を安定させて信頼性を高めることができるし、コストやメンテナンスの面でもメリットは大きい。
【００６８】
（５）建物外壁８１の開口部８６の下方には、窓駆動部１２を収容する収容凹部９１が形成されている。そして、サッシ部１１が開口部８６に設けられるのと同時に、窓駆動部１２はその収容凹部９１に収容される。このような取付構造により、サッシ部１１と窓駆動部１２とがモジュール化された高窓装置１０の取付作業を、容易かつ好適に行うことができる。
【００６９】
（６）収納ケース４１はその底面及び背面が開放されているが、防水プレート１０１が設けられるとともに、防水プレート１０１上に溜められた水がスリット１０４を介して外部に排出されるように構成されている。これにより、収納ケース４１内に滴り落ちた水滴が外壁８１の内部に入り込むことを防止して、外壁８１への悪影響を回避できる。
【００７０】
（別の実施形態）
なお、実施の形態は上記した内容に限定されず、例えば次のように実施してもよい。
【００７１】
（ａ）窓駆動装置４２として、自動車のパワーウィンドウ装置ではなく、自動車のサンルーフ装置を転用してもよい。この場合でも、量産部品を利用できるため、品質を安定させて信頼性を高めることができるし、コストやメンテナンスの面でもメリットは大きい。その場合、車内換気等を目的としてルーフパネルの後端部を持ち上げて後上がりに傾斜させるチルトアップ機能を有するサンルーフ装置を転用すれば、そのチルトアップ機能を併せて利用できる。さらに、窓ガラス２３が窓駆動部１２の収納ケース４１内に収容される構成ではなく、窓ガラス２３が外壁８１の外側にスライドしながら下降するように構成してもよい。この場合、車体の外に窓ガラスがスライドするサンルーフ装置の転用が適している。
【００７２】
その他、窓駆動装置４２を空圧又は油圧によって駆動される構成としてもよいし、パワーウィンドウの構成を転用する場合でも、アーム式ではなくワイヤ式のウィンドウレギュレータであってもよい。
【００７３】
（ｂ）窓枠２１は横長の矩形枠状に限定されるものではなく、縦長であってよいし、正方形や三角形等、他の形状をなす枠であってもよい。また、前面が平坦な形状ではなく湾曲した形状（Ｒ形状）をなすものであってもよい。この場合、窓ガラス２３も窓枠２１の形状に合わせられる。
【００７４】
（ｃ）窓ガラス２３としては、複数枚のガラス板で構成された複層ガラスを用いてもよいし、窓ガラス２３にサンシェード機能や光散乱機能をもたせてもよい。
【００７５】
（ｄ）収納ケース４１に背面パネルを設けて、底面のみ開放された構成としてもよい。また、防水プレート１０１と収納ケース４１とを一体化して、収納ケース４１自身が防水構造を有する構成としてもよい。この場合、収納ケース４１内に滴り落ちた水滴は同ケース４１内で溜められた後、スリット１０４から外部に排出されることになる。その他、防水構造としては、防水プレート１０１の代わりに防水シートを設けてもよい。
【００７６】
（ｅ）排水構造としては、単に防水プレート１０１の水平部１０２上に水を溜める構成とするのではなく、スリット１０４に向けて傾斜する傾斜面によりスリット１０４に向けて水を導く導水板（図示略）が収納ケース４１内に設けられた構成としてもよい。かかる構成とすれば、収納ケース４１内の水を排水しやすくなる。
【００７７】
（ｆ）高窓装置１０に検出手段としての各種検出センサが単独又は複数設けられ、制御部４８はそのセンサの検知結果に基づいて窓ガラス２３の昇降動作を制御するように構成してもよい。この場合、操作部４９にはセンサの検出に基づいた自動制御機能をオン・オフする自動制御ボタン等を設けてもよい。
【００７８】
センサの種類としては、例えば、障害物センサがある。この場合、障害物センサによって窓ガラス２３の上昇中に障害物等が検出されると上昇が停止され、ランプの点滅等による警告表示がなされるように構成することが考えられる。
【００７９】
他の例としては、窓枠２１又は窓ガラス２３に付着した雨滴を検出する雨滴センサ（雨雪情報取得手段）がある。図７には窓枠２１に取り付けられた雨滴センサ１１１を示す。この場合、雨滴センサ１１１が雨滴を検出すると、自動的に窓ガラス２３が上昇して高窓１１０が閉じられるように構成することが考えられる。また、図８に示すように、縦枠２８に沿ってその縦枠２８全域に複数の雨滴センサ１１１が並設され、高窓１１０の上方には庇１１２が設けられた構成とする。そして、雨滴が検出された雨滴センサ１１１の設置位置に窓ガラス２３の上端部が配置されるように窓ガラス２３の昇降を制御するようにしてもよい。その制御例を図８の図示を利用して簡単に説明する。雨脚が比較的弱い場合（Ａ方向に降る雨）は庇１１２で雨が遮られるため、例えば上部に配置された雨滴センサ１１１は雨を検出しない。この場合、雨滴を検出した雨滴センサ１１１の中で最上部のセンサ１１１が設置された位置に窓ガラス２３の上端部が配置される。一方、横殴りの強い雨が降っている場合（Ｂ方向に降る雨）は庇１１２がほとんど機能せず、すべての雨滴センサ１１１で雨が検出される。この場合、窓ガラス２３は全閉鎖位置に配置される。このように、雨の状況に応じて高窓１１０の開閉を調節して、雨天でも雨が室内に入り込まないようにしながら通気性を確保できる。
【００８０】
なお、雨滴センサ１１１による雨量の検出値が予め設定された基準値を超えた場合に、窓ガラス２３を上昇させるようにしてもよい。また、雨雪情報取得手段としては、前記雨滴センサ１１１に限られず、例えば、インターネット等の外部情報源に接続された情報取得部であってもよい。この場合、取得する雨雪情報としては、予報（降水確率など）、降水量等の情報が考えられる。
【００８１】
（ｇ）窓駆動部１２がサッシ部１１の上部に設けられた構成とし、窓ガラス２３が下降することにより窓枠２１で囲まれた枠内領域２２が閉じられ、上昇すれば枠内領域２２が開放されるように構成してもよい。
【００８２】
また、本実施形態は建物用窓装置を高窓装置１０に具体化して説明したが、窓装置の種類は特に限定されるものではなく、腰窓、出窓、掃き出し窓等、外壁８１に設置される窓装置であってもよいし、トップライト等、屋根に設置される窓に適用される窓装置であってもよい。例えば、トップライト装置として具体化した場合には、周囲の屋根材と同材質で同外観をなすモジュール用屋根材がモジュール用外壁材１３の代わりに設けられる。
【００８３】
[第２実施形態]
次に、本発明の第２実施形態を、図９を参照しつつ説明する。本実施の形態も高窓装置に具体化したものであり、その主な構成は上記第１実施形態の高窓装置１０と同様である。ただ、本実施の形態は高窓装置の適用対象に特徴を有する。以下、本実施形態の高窓装置が適用される建物の構成、及び第１実施形態の高窓装置１０に付加される構成を中心に説明する。なお、図９は本実施形態の高窓装置が取り付けられた状態を示す建物全体の概略縦断面図である。
【００８４】
図９に示すように、建物１２１は下階部分に屋外面としてのスキップ床１２２を有し、そのスキップ床１２２上には、上方が外に開放されたバルコニ空間１２３が設けられている。スキップ床１２２と横並びで隣接する下階居室１２４には高窓１２５が設けられている。高窓１２５は、バルコニ空間１２３との境界となる外壁１２６に上記第１実施形態の高窓装置１０が取り付けられてなる。なお、スキップ床１２２は、高窓装置１０を外壁１２６に設置した後で設置されることになる。
【００８５】
かかる構成では、プライバシーを確保すべくバルコニ空間１２３の四方を壁で囲んだとしても、バルコニ空間１２３の上方から差し込んだ太陽光は高窓１２５を介して下階居室１２４内に取り込まれ、下階居室１２４の採光性を確保できる。また、スキップ床１２２の下のスペースはインナーガレージ１２７として利用できる。なお、上階居室１２８の、バルコニ空間１２３との境界となる外壁１２９には、大型窓１３０（例えば、下部は嵌め殺しの窓とされ、上部は開閉可能な窓とされたもの）が設置され、上階居室１２８の採光性も確保されている。
【００８６】
そして、高窓１２５は窓ガラス２３が昇降式となっているため、窓枠２１で囲まれる枠内領域２２の上部のみを開放することが可能となる。これにより、通気性を確保しながら、雨によりスキップ床１２２上に溜まった水が跳ね上がって下階居室１２４内に入り込むことを抑制できる。この場合、窓枠２１を構成する下枠２７に、同下枠２７からバルコニ空間１２３側に突出してスキップ床１２２の上方に配置される水返し部や風返し部（図示略）が横方向全域に設けられれば、水の跳ね上がりの抑制効果を高めることができる。
【００８７】
この構成では、スキップ床１２２上の水や埃類（屋外のゴミや砂石等を含む）などが下階居室１２４内に入り込む状態か否かを監視する監視手段として、各種センサが設けられる。特に、人検知手段としての人感センサ、風速検出手段としての風速センサ、水溜り検出手段としての水溜りセンサのうち少なくとも一つのセンサが設けられ、制御部４８はそのセンサの検出に基づいて窓ガラス２３の昇降を制御することが好ましいといえる。
【００８８】
すなわち、人感センサが窓枠２１又はその周辺部に設置され、その人感センサにより高窓１２５周辺の検出領域に人が存在することが検出されると、窓ガラス２３が上昇して高窓１２５が閉じられる構成とする。これにより、雨でスキップ床１２２上に溜まった水が、人の通過によって跳ね上げられて下階居室１２４内に入り込むことを防止できる。この場合、枠内領域２２を完全に閉じてもよいし、上部が若干開放された状態としてもよい。
【００８９】
また、風速センサが窓枠２１又はその周辺部に配置され、その風速センサにより高窓１２５周辺を通過する風の風速が予め設定された基準値を超えたとき、窓ガラス２３が上昇して高窓１２５が閉じられる構成する。これにより、雨でスキップ床１２２上に溜まった水や埃類が風で跳ね上げられて、下階居室１２４内に入り込むことを防止できる。
【００９０】
さらに、複数の水溜りセンサが高窓１２５周辺のスキップ床１２２に設置され、水溜りセンサにより水溜りが検出されると、窓ガラス２３が上昇して高窓１２５が閉じられる構成とする。これにより、高窓１２５周辺のスキップ床１２２に水溜りが存在するときは、予期せぬ事態によってその水が跳ね上げられて下階居室１２４内に入り込むことを防止できる。
【００９１】
この第２実施形態は上記した内容に限定されない。例えば、屋外面をスキップ床１２２ではなく地上面とし、下階居室１２４に相当する居室が半地下式となった建物において、その居室と外空間との境界となる外壁に高窓装置１０が設けられた構成であってもよい。
【００９２】
その他、図１０に示すような構成の建物１４１であってもよい。この建物１４１は、一階部分１４２から二階部分１４３につながる吹き抜け空間とされた第１居室１４４と、第１居室１４４に横並びで隣接する第２居室１４５及びバルコニ空間１４６とを備えている。第２居室１４５は一階部分１４２に、バルコニ空間１４６は二階部分１４３にあり、それぞれ上下階の境界部１４７を介して上下に隣接している。そして、境界部１４７に接する第１居室１４４の外壁１４８には、第１居室１４４と境界部１４７との間であって、かつ境界部１４７寄りに近接した位置に、高窓装置１０が取り付けられてなる高窓１４９が設けられる。この構成では、バルコニ空間１４６の床面が屋外面となっている。
【００９３】
なお、かかる構成では、モジュール化された高窓装置１０を取り付けることは困難な場合もある。そのような場合は、建物施工時に、サッシ部１１や窓駆動部１２を構成する各部材が個々に組み付けられることになる。
【図面の簡単な説明】
【００９４】
【図１】第１実施形態の高窓装置の正面図。
【図２】高窓装置の側面図であり、サッシ部を縦断面図としたもの。
【図３】窓駆動部の構成図。
【図４】アーム式駆動機構を示す正面図。
【図５】高窓装置が建物の外壁に取り付けられる様子を示した断面図。
【図６】高窓装置が建物の外壁に取り付けられた状態を示す断面図。
【図７】図６を屋外側からみた場合の斜視図。
【図８】雨滴センサを設けた構成の一例を示す概略縦断面図
【図９】第２実施形態の高窓装置が取り付けられた状態を示す建物全体の概略縦断面図。
【図１０】第２実施形態における別の建物の概略縦断面図。
【図１１】高窓の設置状態を示す概略図。
【符号の説明】
【００９５】
１０…建物用窓装置としての高窓装置、１１…サッシ部、１２…窓駆動部、１３…モジュール用外壁材、２１…窓枠、２３…窓ガラス、４５…駆動手段を構成する電動モータ、４６…駆動手段を構成するアーム式駆動機構、４８…制御手段を構成する制御部、３１…シール部材を構成するシールリップ、３４…シール部材を構成するガラスラン、４１…収納ケース、８６…開口部、９１…収容凹部、１０１…防水構造を構成する防水プレート、１０４…排水構造を構成するスリット、１１０…高窓、１２２…スキップ床、１２３…バルコニ空間、１２４…下階居室、１２５…高窓、１２６…外壁。
【図１】
2008208651.tif 000003
【図２】
2008208651.tif 000004
【図３】
2008208651.tif 000005
【図４】
2008208651.tif 000006
【図５】
2008208651.tif 000007
【図６】
2008208651.tif 000008
【図７】
2008208651.tif 000009
【図８】
2008208651.tif 000010
【図９】
2008208651.tif 000011
【図１０】
2008208651.tif 000012
【図１１】
2008208651.tif 000013